(57)【要約】【課題】巻回型のコンデンサ素子の本体部を外装ケースに収容した上で樹脂封止された金属化フィルムコンデンサにつき、特にコンデンサ素子の軸方向（Ｚ方向）での唸り音などの雑音の低減効果を優れたものにする。【解決手段】軸方向（Ｚ方向）の両端に引き出し電極２，２が接続された金属化フィルム巻回型のコンデンサ素子１と、引き出し電極の一部を除いてコンデンサ素子の本体部１ａを収容する樹脂製の外装ケース３と、外装ケース内に充填され固化によってコンデンサ素子の本体部を覆う封止樹脂４とを備えた金属化フィルムコンデンサである。外装ケース３における軸方向の両端の側板部３ａ，３ａが軸方向で対向する外側板３ａ2 と内側板３ａ1 との二重壁に構成され、この二重壁によって軸方向に対して垂直な方向で展開する音波束拡散用の空隙部５が形成される。【選択図】図１
2020155785.tif 000002
【特許請求の範囲】
【請求項１】
軸方向の両端に引き出し電極が接続された金属化フィルム巻回型のコンデンサ素子と、
前記引き出し電極の一部を除いて前記コンデンサ素子の本体部を収容する樹脂製の外装ケースと、
前記外装ケース内に充填され固化によって前記コンデンサ素子の本体部を覆う封止樹脂とを備えた金属化フィルムコンデンサであって、
前記外装ケースにおける前記軸方向の両端の側板部がそれぞれ前記軸方向で対向する外側板と内側板との二重壁に構成され、前記外側板と前記内側板との間に前記軸方向に垂直な方向で展開する音波束拡散用の空隙部が形成されていることを特徴とする金属化フィルムコンデンサ。
【請求項２】
前記音波束拡散用の空隙部は、前記コンデンサ素子の軸心の延長線と交差する位置関係にある請求項１に記載の金属化フィルムコンデンサ。
【請求項３】
前記音波束拡散用の空隙部は、その中心部が前記コンデンサ素子の軸心の延長線の近傍に位置している請求項２に記載の金属化フィルムコンデンサ。
【請求項４】
前記外装ケースは、その内側板と外側板を含めて全体が樹脂の射出成形によって一体成形品に構成されている請求項１から請求項３までのいずれか１項に記載の金属化フィルムコンデンサ。
【請求項５】
前記コンデンサ素子は、その軸心部が空洞となった円筒形であり、その軸心部の空洞にも前記封止樹脂が充填されている請求項１から請求項４までのいずれか１項に記載の金属化フィルムコンデンサ。
【発明の詳細な説明】
【技術分野】
【０００１】
本発明は、巻回型のコンデンサ素子の本体部を外装ケースに収容した上で樹脂封止された金属化フィルムコンデンサ、詳しくは、軸方向の両端に引き出し電極が接続された金属化フィルム巻回型のコンデンサ素子と、前記引き出し電極の一部を除いて前記コンデンサ素子の本体部を収容する樹脂製の外装ケースと、前記外装ケース内に充填され固化によって前記コンデンサ素子の本体部を覆う封止樹脂とを備えた金属化フィルムコンデンサに関する。
【背景技術】
【０００２】
例えばインバータ装置（直流‐交流変換装置）用のコンデンサ素子は、その軸方向両端の一対の引き出し電極間に電圧を高周波で印加することに起因して、誘電体フィルムを挟み込む異極の金属薄膜電極間にクーロン力が作用し、機械的振動が発生する。近年では、インバータ装置におけるスイッチング周波数の高周波化に伴い機械的振動の周波数も高周波化し、不快な雑音（例えば「キーン」と鳴る耳障りな唸り音）が発生することが問題となってきている。
【０００３】
金属化フィルムコンデンサには、そのコンデンサ素子として巻回型（円柱型、扁平柱状型）、積層型などがあるが、巻回型の場合、金属化フィルムの巻き取りの際に巻き取りのテンション（張力）を強くして強固な巻き取りを行い、フィルム層間を狭めることにより雑音を抑制することが従来から行われている。
【０００４】
また、振動（雑音）を低減する対策として、樹脂製の外装ケースの内壁に凹部（ケース開口端まで軸方向に延びる溝状の凹部、周方向と軸方向にほぼ等間隔で点在する穴状の凹部、底面から開口端まで螺旋状に延びる溝状の凹部）を形成し、その凹部にも封止樹脂を充填する方式の金属化フィルムコンデンサが提案されている（例えば特許文献１参照）。
【０００５】
この従来例の場合、コンデンサ素子を封入する封止樹脂に振動を吸収させるに当たり、外装ケースの内壁に形成した凹部の内部にも封止樹脂を喰い込ませる状態で充填することにより、振動吸収する封止樹脂を介してコンデンサ素子の固定を堅固にし、振動吸収を効果的にするとしている。この方式は、振動をその発生場所において吸収するという考え方に従っている。
【０００６】
従来、上記の特許文献１の方式とは異なる二重壁遮音タイプの電気機器容器が提案されている。それは、容器側板部を二重壁の構成とし、その二重壁内の空間を空気層、真空層あるいはグラスファイバー等の充填層としている。ただし、電気機器容器は金属製で、二重壁を構成する内側板と外側板はともに金属板で、同じく金属板である底板に溶接をもって固着されるものとなっている。そして、二重壁を含んで構成される金属製の電気機器容器は、その内部空間にコンデンサなどの電気機器とそれを覆う絶縁油を収容するものとなっている（例えば特許文献２参照）。
【先行技術文献】
【特許文献】
【０００７】
【特許文献１】特開２００９−９４２６６号公報
【特許文献２】実開昭６３−６７２１８号公報
【発明の概要】
【発明が解決しようとする課題】
【０００８】
本発明は、巻回型のコンデンサ素子の本体部を外装ケースに収容した上で樹脂封止された金属化フィルムコンデンサにおいて、高周波化に伴って避けがたく発生するコンデンサ素子の軸方向での唸り音などの雑音を効果的に低減することを課題とするものであるが、上述した２つの特許文献に記載の技術は、この課題を解決する上では充分なものではなかった。
【０００９】
図１７および図１８（ａ），（ｂ），（ｃ）に示す金属化フィルムコンデンサは、その基本の構成が本発明と共通しているもので、冒頭で述べたように、コンデンサ素子１の本体部１ａを収容する樹脂製の外装ケース３と、外装ケース３内に充填され固化によってコンデンサ素子の本体部１ａを覆う封止樹脂４とを備えたタイプの従来例である。外装ケース３は上方開口の箱形を呈し、コンデンサ素子１の軸方向に相当するＺ方向で対向する一対の側板部３ａ′，３ａ′と、Ｙ方向で対向する一対の正面板部３ｂ，３ｂと、Ｘ方向下方の下端の底板部３ｃとを有し、全体が合成樹脂によって一体的に成形されている。２は引き出し電極、３ｄは収容空間部である。
【００１０】
巻回型の金属化フィルムコンデンサの場合には、その軸心部（中心部）に振動エネルギーが集中し、そこから軸方向の両外側方に向けて振動が伝搬し、最終的に軸方向両側の外方へ抜けるという現象を伴う傾向がある。近時のインバータ装置の高周波化に伴い、その傾向は強くなっている。
【００１１】
図１７、図１８の従来例の場合、軸方向に沿って側板に垂直に入射してきた高周波音波束は、その１枚ものの側板部３ａ′の外方に向けて抜ける。このとき、１枚ものの側板部３ａ′の振動を介して、ある立体角をもって広がって伝搬する。しかし、その立体角はメガホンのような細い截頭円錐筒状の比較的小さいものに限定され、拡散領域は１方向のみである。すなわち、軸方向の延長線周りの単一の比較的狭い立体角領域にすぎない。そのためと思われるが、コンデンサ素子の軸方向（Ｚ方向）での唸り音などの雑音が相当に大きなものとなっている。
【００１２】
本発明者は、巻回型の金属化フィルムコンデンサについて、コンデンサ素子の軸方向とそれに直交する２方向につき、唸り音などの雑音の測定試験を行った。コンデンサ素子の軸方向をＺ方向とし、Ｚ方向に直交する２方向でコンデンサ素子を収容する樹脂製の外装ケースの開放方向（上方向）に沿った方向をＸ方向、Ｚ方向とＸ方向とに直交する方向をＹ方向とする。
【００１３】
測定試験として、外装ケースに注入充填する封止樹脂の種類を変更して測定を行った。この結果、唸り音などの雑音の低減に効果のある封止樹脂の種類があることが分かってきたが、近時のユーザーの要求に充分に応えることのできるレベルには達しないことが判明した。
【００１４】
詳しくは、唸り音などの雑音に対する低減効果には方向性があることが分かってきた。すなわち、Ｘ方向やＹ方向では相応の雑音低減効果が認められたものの、Ｚ方向では満足のできる雑音低減効果は認められなかった。その原因としては、次のような現象が考えられる。
【００１５】
上述したように、巻回型のコンデンサ素子において周辺部から軸心部に集中した振動エネルギーは軸心部で軸方向の両外側方に向けて伝搬し外方へ抜けるもので、インバータ装置の高周波化に伴い軸方向への抜けの強度が強くなっている。その結果、上述のように様々な工夫を凝らしても、雑音低減効果はＺ方向では満足のできるものとはならなかったのである。
【００１６】
本発明はこのような事情に鑑みて創作したものであり、巻回型のコンデンサ素子の本体部を外装ケースに収容した上で樹脂封止された金属化フィルムコンデンサに関して、特にコンデンサ素子の軸方向（Ｚ方向）での唸り音などの雑音の低減効果を優れたものにすることを目的としている。
【課題を解決するための手段】
【００１７】
本発明は、次の手段を講じることにより上記の課題を解決する。
【００１８】
本発明による金属化フィルムコンデンサは、
軸方向の両端に引き出し電極が接続された金属化フィルム巻回型のコンデンサ素子と、
前記引き出し電極の一部を除いて前記コンデンサ素子の本体部を収容する樹脂製で開口を有する外装ケースと、
前記外装ケース内に充填され固化によって前記コンデンサ素子の本体部を覆う封止樹脂とを備えた金属化フィルムコンデンサであって、
前記外装ケースにおける前記軸方向の両端の側板部がそれぞれ前記軸方向で対向する外側板と内側板との二重壁に構成され、前記外側板と前記内側板との間に前記軸方向に垂直な方向で展開する音波束拡散用の空隙部が形成されていることを特徴とする。
【００１９】
本発明による上記の構成は、次のような作用効果を発揮する。
【００２０】
外装ケースにおける軸方向両端の側板部を軸方向で対向する外側板と内側板との二重壁に構成することにより、その外側板と内側板との間に、唸り音などの雑音を拡散して低減する機能を有する音波束拡散用の空隙部を形成している。それは、雑音の発生を抑制の直接の対象（ターゲット）とするものではなく、発生した雑音をその発生後に拡散することによって低減するものとなっている。
【００２１】
音波束拡散用の空隙部は、軸方向の最外側に位置する外側板とそれの内側で軸方向に対向する内側板との二重壁で挟まれた空間である。空隙部が形成される前記の外装ケース軸方向両端の側板部のそれぞれは、前記の二重壁を構成する外側板および内側板に相当する。
【００２２】
そして、音波束拡散用の空隙部は、内側板とこれに対向する外側板との二重壁によって挟み込まれて形成されている。したがって、コンデンサ素子の軸心部から軸方向に沿って両外側に伝搬してくる高周波音波束の振動エネルギーを内側板から音波束拡散用の空隙部へと導入させることができる。内側板を通過した高周波音波束は通過後の空隙部で伝搬方向の拡散を受ける。その高周波音波束の拡散の方向は、空隙部が展開する方向である軸方向（素子軸方向）に垂直な方向、およびその垂直な方向と軸方向との様々な傾斜角度での合成方向である。その様々な方向を集約した全領域は、コンデンサ素子軸心の周囲３６０度の広がりをもつ立体角領域となる。このこと自体については、その伝搬方向の先に外部に連通開放する開口部があるかないかは問題ではない。高周波音波束は内側板を抜けた直後には、音波束拡散用の空隙部において、周囲３６０度の広がりをもつ立体角領域で拡散する。
【００２３】
コンデンサ素子軸心周りの３６０度の拡散において、その先に外部に連通開放する開口部があれば、その方向に沿っての高周波音波束の外部逃げ出しは促進される。また、その先に外部に連通開放する開口部がなければ、そこは内側板と外側板とを軸方向に沿って連接（連設）する繋ぎ梁部であるが、高周波音波束はその繋ぎ梁部の振動を介して外部空間へと拡散する。いずれにしても、内側板（従来例では１枚ものの側板）から抜け出た後の、軸方向に対して垂直方向での高周波音波束の拡散立体角領域が、本発明では従来例に比べて充分に大きなものとなっている。
【００２４】
上記のように、本発明においては、上方開口の外装ケース内に横置き姿勢で収容した金属化フィルム巻回型のコンデンサ素子を封止樹脂で覆い、そのコンデンサ素子の軸心部から軸方向に沿って伝搬してきた高周波音波束が外装ケースの内側板とこれに対向する外側板との二重壁によって挟み込まれて形成される音波束拡散用の空隙部の存在によって軸方向に対して垂直方向に広範囲に拡散されるため、特に軸方向（Ｚ方向）での唸り音などの雑音の低減効果を優れたものにすることが可能となる。
【００２５】
上記構成の本発明の金属化フィルムコンデンサには、次のようないくつかの好ましい態様ないし変化・変形の態様がある。
【００２６】
〔１〕前記音波束拡散用の空隙部は、前記コンデンサ素子の軸心の延長線と交差する位置関係にあること。この場合、コンデンサ素子の軸心部から軸方向に沿って両外側に伝搬してくる高周波音波束の振動エネルギーを音波束拡散用の空隙部に対して効率良く導入させることが可能となる。
【００２７】
〔２〕前記音波束拡散用の空隙部は、その中心部が前記コンデンサ素子の軸心の延長線の近傍に位置していること。この場合、音波束拡散用の空隙部に入ってくる高周波音波束を軸心部まわりの３６０度範囲の全方位に対してほぼ均等に拡散させることが可能となる。
【００２８】
〔３〕前記外装ケースは、その内側板と外側板を含めて全体が樹脂の射出成形によって一体成形品に構成されていること。
【００２９】
〔４〕前記コンデンサ素子は、その軸心部が空洞となった円筒形であり、その軸心部の空洞にも前記封止樹脂が充填されていること。
【発明の効果】
【００３０】
本発明によれば、互いに対向する内側板と外側板で挟まれて形成される音波束拡散用の空隙部を巻回型のコンデンサ素子の軸方向両外側に配置してあるので、コンデンサ素子の軸心部から軸方向に沿って両外側に伝搬してくる高周波音波束の振動エネルギーを内側板から空隙部へと導入させることができる。その音波束拡散用の空隙部は軸方向に対して垂直な方向で展開しており、内側板を通して空隙部に入った振動エネルギーは空隙部内を軸心部から放射方向に拡散してゆく。その結果として、コンデンサ素子から軸方向に沿って伝搬してきた高周波音波束を音波束拡散用の空隙部において広範囲に拡散でき、特に軸方向での唸り音などの雑音の低減効果を優れたものにすることができる。
【図面の簡単な説明】
【００３１】
【図１】本発明の第１の実施例における金属化フィルムコンデンサを示す斜視図
【図２】第１の実施例における金属化フィルムコンデンサの平面図、正面図および側面図
【図３】第１の実施例における金属化フィルムコンデンサの要部の斜視図および縦断面図
【図４】本発明の第２の実施例における金属化フィルムコンデンサを示す斜視図
【図５】第２の実施例における金属化フィルムコンデンサの平面図、正面図および側面図
【図６】第２の実施例における金属化フィルムコンデンサの要部の斜視図および縦断面図
【図７】本発明の第３の実施例における金属化フィルムコンデンサを示す斜視図
【図８】第３の実施例における金属化フィルムコンデンサの平面図、正面図および側面図
【図９】第３の実施例における金属化フィルムコンデンサの要部の斜視図および縦断面図
【図１０】本発明の第４の実施例における金属化フィルムコンデンサを示す斜視図
【図１１】第４の実施例における金属化フィルムコンデンサの平面図、正面図および側面図
【図１２】第４の実施例における金属化フィルムコンデンサの要部の斜視図および縦断面図
【図１３】本発明の第５の実施例における金属化フィルムコンデンサを示す斜視図
【図１４】第５の実施例における金属化フィルムコンデンサの平面図、正面図および側面図
【図１５】第６の実施例における金属化フィルムコンデンサの要部の斜視図および縦断面図
【図１６】５つの実施例と従来例について行った唸り音などの雑音測定試験の結果で得られた雑音強度‐周波数特性図
【図１７】従来例の金属化フィルムコンデンサの構成を示す斜視図
【図１８】従来例の金属化フィルムコンデンサの平面図、正面図および側面図
【発明を実施するための形態】
【００３２】
以下、上記構成の本発明の金属化フィルムコンデンサにつき、その実施の形態を具体的な実施例のレベルで詳しく説明する。
【００３３】
〔第１の実施例〕
本発明の第１の実施例を図１、図２および図３を用いて説明する。図１は本発明の第１の実施例における金属化フィルムコンデンサを示す斜視図、図２（ａ），（ｂ），（ｃ）はその平面図、正面図および側面図、図３（ａ），（ｂ）は要部の斜視図、図３（ｃ）は要部の縦断面図である。
【００３４】
これらの図において、１は金属化フィルム巻回型のコンデンサ素子、１ａはコンデンサ素子１の本体部、２は引き出し電極、３は樹脂製の外装ケース、４は封止樹脂である。３ａは外装ケース３における軸方向両端の側板部、３ｂは外装ケース３における正面板部、３ｃは外装ケース３における底板部、５は側板部に形成された音波束拡散用の空隙部、３ａ1 は側板部３ａにおける内側板、３ａ2 は側板部３ａにおける外側板である。
【００３５】
図３は一方の側板部３ａとその周辺部を拡大して示しており、図３（ａ）は外装ケース３の部分を実線で、音波束拡散用の空隙部５の部分を破線でそれぞれ示し、図３（ｂ）は空隙部５の部分を実線で、外装ケース３の部分は破線でそれぞれ示し、図３（ｃ）は空隙部５をＸＹ２次元方向で縦断した断面図を示す。
【００３６】
図１に示すように、コンデンサ素子１は、金属化フィルムを多重巻きして円筒状に形成したコンデンサ素子の本体部１ａと、その本体部１ａの軸方向両端に対して金属溶射して形成した金属溶射電極（メタリコン）にはんだ付けした正極・負極一対の引き出し電極２，２とを有している。
【００３７】
ここで、金属化フィルムは誘電体フィルムの片面に蒸着などにより金属薄膜電極を形成したものであり、その金属化フィルムを２枚重ね合わせした状態で巻回している。巻回に際しては、先巻用フィルムを多重に巻回して作製した薄肉円筒状の巻芯を芯材として、その外周に２枚重ね合わせ状態の金属化フィルムを多重に巻回し、さらに最外層に外装フィルムを巻回する。このようにして作製された円筒状巻回体の軸方向両端面に金属微粒子を溶射して金属溶射電極を形成するのであるが、溶射前に円筒状巻回体から巻芯を引き抜いておく。この段階では、コンデンサ素子の本体部１ａの軸心部には巻芯を抜き取ったあとの軸方向両側に開放している円柱状の空洞が形成されている。
【００３８】
図１および図２に示すように、樹脂製の外装ケース３は、上方開口の箱形を呈し、Ｚ方向（コンデンサ素子の本体部１ａの軸方向。水平横方向）で平行に対向する一対の側板部３ａ，３ａと、Ｙ方向（Ｚ方向に垂直に交差する水平横方向）で平行に対向する一対の正面板部３ｂ，３ｂと、Ｘ方向（Ｚ方向およびＹ方向に垂直に交差する縦方向）に直交する平面内で平坦に展開する底板部３ｃとを有している。側板部３ａ，３ａはＸ方向・Ｙ方向の２次元平面に沿って平坦に展開し、正面板部３ｂ，３ｂはＺ方向・Ｘ方向の２次元平面に沿って平坦に展開している。一対の側板部３ａ，３ａと一対の正面板部３ｂ，３ｂと１枚の底板部３ｃとは合成樹脂によって一体的に成形されている。
【００３９】
図３にも示すように、各側板部３ａには音波束拡散用の空隙部５が形成されている。その空隙部５はＸ方向・Ｙ方向の２次元平面に沿って展開している。この空隙部５は互いに平行な姿勢でＺ方向に対向する内側板３ａ1 と外側板３ａ2 とで挟まれた形態となっている。
【００４０】
音波束拡散用の空隙部５は、コンデンサ素子１の軸心の延長線と交差する位置関係にある。より詳しくは、空隙部５は、その中心部がコンデンサ素子１の軸心の延長線の近傍に位置している。
【００４１】
空隙部５はＸ方向での上方向に開放されているが、Ｘ方向での下方向では閉塞し、Ｙ方向での両方向でも閉塞している。底板部３ｃは外装ケース３の底面全体にわたっている。空隙部５の態様は一対の側板部３ａ，３ａで同様の構成となっている。
【００４２】
なお、図３では空隙部５の形状について、端縁部（エッジ部）を直角に描いているが、それは空隙部５の存在を明確化するための工夫である。実際的には、図１や図２のように半円弧上の曲線を描くものである。もっとも、空隙部５の端縁部（エッジ部）を積極的に直角にしてもよい。
【００４３】
以上のような形態の外装ケース３が合成樹脂の射出成形によって一体的に形成されている。その合成樹脂としては、ＰＥＴ（ポリエチレンテレフタレート）、ＰＢＴ（ポリブチレンテレフタレート）やＰＰＳ（ポリフェニレンサルファイド）などが用いられる。
【００４４】
外装ケース３において底板部３ｃと一対の正面板部３ｂ，３ｂと一対の内側板３ａ1 ，３ａ1 で囲まれた収容空間部３ｄにコンデンサ素子１の本体部１ａが上方から収容される。コンデンサ素子の本体部１ａの軸方向が外装ケース３のＺ方向に沿う姿勢で収容される。このとき、コンデンサ素子の本体部１ａはその全体が収容空間部３ｄの内部に入り込んだ状態で収容されるが、正極・負極一対の引き出し電極２，２のほぼ上半分が収容空間部３ｄの上方開口部から外部上方に突出している。
【００４５】
音波束拡散用の空隙部５のＹ方向の端部位置は収容空間部３ｄのＹ方向の端部位置と一致している。空隙部５のＸ方向下方の端部位置は収容空間部３ｄのＸ方向下方の端部位置と一致している。空隙部５のＺ方向での幅は空隙部５の全体にわたって均一であり、その幅は内側板３ａ1 や外側板３ａ2 の幅とほぼ同じとなっている。空隙部５はＸ方向上方においてのみ外部に開放しており、Ｘ方向下方、Ｙ方向の両方向およびＺ方向の両方向では閉じた状態となっている。
【００４６】
外装ケース３の収容空間部３ｄにはエポキシ樹脂などの封止樹脂４が充填固化されており（ポッティング）、その封止樹脂４によってコンデンサ素子の本体部１ａと引き出し電極２，２の基部側が封入されている。封止樹脂４はコンデンサ素子の本体部１ａや本体部１ａと引き出し電極２，２との接続部を保護するものである。この封止樹脂４は本体部１ａの軸心部で巻芯を抜き取ったあとの軸方向の円柱状の空洞にも充填される。
【００４７】
〔第２の実施例〕
本発明の第２の実施例を図４、図５および図６を用いて説明する。図４は本発明の第２の実施例における金属化フィルムコンデンサを示す斜視図、図５（ａ），（ｂ），（ｃ）はその平面図、正面図および側面図、図６（ａ），（ｂ）は要部の斜視図、図６（ｃ）は要部の縦断面図である。第２の実施例のこれらの各図において第１の実施例の各図で用いたのと同一符号は同一の構成要素を指すものとし、詳しい説明は省略する。
【００４８】
第２の実施例においては、第１の実施例に比べて、音波束拡散用の空隙部５の寸法（内容積）が拡張されたものとなっている。すなわち、空隙部５のＺ方向の幅、Ｙ方向の幅、Ｘ方向の幅のいずれもが第１の実施例のそれらに比べてより広幅となっている。ただし、第１の実施例の場合と同様に、空隙部５はＸ方向上方においてのみ外部に開放しており、下方向、Ｙ方向の両方向およびＺ方向の両方向では閉じた状態となっている。
【００４９】
幅が拡張されたことに伴い、空隙部５のＸ方向下方に位置する底板部３ｃの肉厚は第１の実施例よりも薄くなっている。空隙部５のＹ方向に位置する正面板部３ｂの肉厚は第１の実施例よりも薄くなっている。内側板３ａ1 および外側板３ａ2 の肉厚も第１の実施例よりも薄くなっている。
【００５０】
その他の構成については第１の実施例の場合と同様である。
【００５１】
この第２の実施例では音波束拡散用の空隙部５の幅の拡張（板部の薄肉化）がＸ方向、Ｙ方向、Ｚ方向の３方向のいずれにおいても行われているが、変形の実施例として、３方向のうちのいずれか１方向での拡張としてもよいし、あるいは３方向のうちのいずれか２方向（組み合わせは任意）での拡張としてもよい。
【００５２】
〔第３の実施例〕
本発明の第３の実施例を図７、図８および図９を用いて説明する。図７は本発明の第３の実施例における金属化フィルムコンデンサを示す斜視図、図８（ａ），（ｂ），（ｃ）はその平面図、正面図および側面図、図９（ａ），（ｂ）は要部の斜視図、図９（ｃ）は要部の縦断面図である。第３の実施例のこれらの各図において第１の実施例の各図で用いたのと同一符号は同一の構成要素を指すものとし、詳しい説明は省略する。
【００５３】
第１の実施例では音波束拡散用の空隙部５の外部開放の方向がＸ方向の一側方（上方向）のみであったのに対して、第３の実施例においては、空隙部５の外部開放の方向がＸ方向の両側方（上方向と下方向）となっている。このことは、特に図８（ｂ）および図９（ｃ）でよく分かる。すなわち、空隙部５での底は外部（下方）開放となっている。第１の実施例の場合と同様に、Ｙ方向の両方向およびＺ方向の両方向では閉じた状態となっている。
【００５４】
その他の構成については第１の実施例の場合と同様である。
【００５５】
〔第４の実施例〕
本発明の第４の実施例を図１０、図１１および図１２を用いて説明する。図１０は本発明の第４の実施例における金属化フィルムコンデンサを示す斜視図、図１１（ａ），（ｂ），（ｃ）はその平面図、正面図および側面図、図１２（ａ），（ｂ）は要部の斜視図、図１２（ｃ）は要部の縦断面図である。第４の実施例のこれらの各図において第１の実施例の各図で用いたのと同一符号は同一の構成要素を指すものとし、詳しい説明は省略する。
【００５６】
第４の実施例においては、音波束拡散用の空隙部５の外部開放の方向がＸ方向の両側方およびＹ方向の両側方となっている。図１２（ｃ）に示すように、空隙部５の４つの角部においては、外側板３ａ2 を内側板３ａ1 に連接（連設）しておくための小さな断面積の柱状の連接部３ｅ‥がある。これら４つの連接部３ｅ‥は、外部開放の開口面積を可能な限り大きくするために、その断面はほぼ正方形で、その上下寸法および左右寸法は正面板部３ｂの肉厚とほぼ同じ寸法となっている。
【００５７】
その他の構成については第１の実施例の場合と同様である。
【００５８】
第４の実施例の変形の実施例として、Ｘ方向のいずれか一側方とＹ方向のいずれか一側方との組み合わせ、Ｘ方向の両側方とＹ方向のいずれか一側方との組み合わせ、Ｘ方向のいずれか一側方とＹ方向の両側方との組み合わせなどであってもよい。
【００５９】
〔第５の実施例〕
本発明の第５の実施例を図１３、図１４および図１５を用いて説明する。図１３は本発明の第５の実施例における金属化フィルムコンデンサを示す斜視図、図１４（ａ），（ｂ），（ｃ）はその平面図、正面図および側面図、図１５（ａ），（ｂ）は要部の斜視図、図１５（ｃ）は要部の縦断面図である。第５の実施例のこれらの各図において第１の実施例、第４の実施例の各図で用いたのと同一符号は同一の構成要素を指すものとし、詳しい説明は省略する。
【００６０】
音波束拡散用の空隙部５の外部開放の方向がＸ方向の両側方でありかつＹ方向の両側方である点は第４の実施例と同様であるが（図１５（ｃ）参照）、Ｙ方向端での開口のＸ方向幅が第４の実施例よりも狭くなっている。外側板３ａ2 を内側板３ａ1 に連接しておくための４つの連接部３ｅ‥は第４の実施例の場合より縦長となっている。Ｙ方向端での空隙部５の開口の位置はＸ方向での中央位置となっている。
【００６１】
その他の構成については第１の実施例の場合と同様である。
【００６２】
変形の実施例として、Ｙ方向端での音波束拡散用の空隙部５の開口の位置がＸ方向での中央位置ではなく、上方向または下方向に偏っていてもよいし、開口の数を２以上としてもよい。
【００６３】
上記の５つの実施例の金属化フィルムコンデンサについて唸り音などの雑音の強度‐周波数特性の測定試験を行った。その結果を図１７、図１８に示す従来例と対応させながら図１６（ａ），（ｂ）に示す。図１６（ａ）は実測データを示し、図１６（ｂ）は各周波数において従来例の場合の雑音強度をすべて０にして正規化したデータである。周波数範囲は１０．０ｋＨｚから１３．０ｋＨｚまでの７点（０．５ｋＨｚ刻み）と１１．８ｋＨｚとである。
【００６４】
この図において、（１）は第１の実施例（上方向のみ開放）の結果、（２）は第２の実施例（上方向のみ開放かつ拡張タイプ）の結果、（３）は第３の実施例（上下両方向に開放）の結果、（４）は第４の実施例（上下左右方向に開放）の結果、（５）は第５の実施例（上下左右方向に開放かつ左右方向開口縮小タイプ）の結果、（０）は従来例の結果である。
【００６５】
第１の実施例から第５の実施例までのすべてにつき、音波束拡散用の空隙部５の存在は唸り音などの雑音を各周波数において低減する効果があることが分かる。また、上下左右開放タイプの（３），（５）の場合は（１），（２），（４）より優れた雑音低減効果をもつ傾向があるといえる。
【００６６】
いずれにしても、内側板３ａ1 と外側板３ａ2 との二重壁によって形成される音波束拡散用の空隙部５の存在により、内側板３ａ1 を通過した高周波音波束の伝搬方向を大きく拡散する。その高周波音波束の拡散の方向は様々な方向を集約したコンデンサ素子軸心の周囲３６０度の広がりをもつ立体角領域となる。
【００６７】
このように、本発明実施例においては、コンデンサ素子の本体部１ａの軸心部から軸方向に沿って伝搬してきた高周波音波束が音波束拡散用の空隙部５の存在によって広範囲に拡散されるため、特に軸方向（Ｚ方向）での唸り音などの雑音の低減効果を優れたものにすることができる。
【００６８】
なお、上記実施例では、コンデンサ素子の本体部１ａを円筒状にしているが、これに代えて円筒形を半径方向内方に圧迫変形した扁平柱状体としてもよい。もっとも素子断面を真円形状に近くするほど、強固に巻き取りを行うことができ、雑音抑制に効果的である。
【００６９】
上記の実施例では円筒状のコンデンサ素子の本体部１ａの中心部の空洞には封止樹脂が充填されているが、そこに空気が残存していてもよい。
【００７０】
また、一体成形に代えて、音波束拡散用の空隙部５を構成する空隙部用アダプタを内側板３ａ1 相当の側板に接着や溶着等で連接（連設）してもよい。あるいは、射出成形時には空隙部５のない肉厚の大きい側板部３ａを形成しておき、成形後の切削加工により空隙部５を形成してもよい。
【産業上の利用可能性】
【００７１】
本発明は、巻回型のコンデンサ素子の本体部を外装ケースに収容した上で樹脂封止された金属化フィルムコンデンサに関して、特にコンデンサ素子の軸方向（Ｚ方向）での唸り音などの雑音の低減効果を優れたものにする技術として有用である。
【符号の説明】
【００７２】
１  コンデンサ素子
１ａ  コンデンサ素子の本体部
２  引き出し電極
３  外装ケース
３ａ  側板部
３ａ1   内側板
３ａ2   外側板
４  封止樹脂
５  音波束拡散用の空隙部
【図１】
2020155785.tif 000003
【図２】
2020155785.tif 000004
【図３】
2020155785.tif 000005
【図４】
2020155785.tif 000006
【図５】
2020155785.tif 000007
【図６】
2020155785.tif 000008
【図７】
2020155785.tif 000009
【図８】
2020155785.tif 000010
【図９】
2020155785.tif 000011
【図１０】
2020155785.tif 000012
【図１１】
2020155785.tif 000013
【図１２】
2020155785.tif 000014
【図１３】
2020155785.tif 000015
【図１４】
2020155785.tif 000016
【図１５】
2020155785.tif 000017
【図１６】
2020155785.tif 000018
【図１７】
2020155785.tif 000019
【図１８】
2020155785.tif 000020